(57)【要約】【課題】カンガルーポケット式制御部が開いた状態で制御部を操作する場合にはカンガルーポケット式制御部は容易に閉じず、意図的にカンガルーポケット式制御部を閉じる場合は簡単に閉じること。【解決手段】カンガルーポケット式制御部４０が、開閉の為の回転軸４３と回転軸孔４３ａとガイド４７とガイドピン４８とを有し、ガイドピン４８がガイド４７に沿って摺動することによって回転が補助され、ガイド４７に窪み４７ａを設け、回転軸４３が下方向に移動出来るように回転軸孔４３ａを長孔にして、ガイドピン４８がガイドの窪み４７ａに嵌まり込み保持されることによって、カンガルーポケット式制御部４０が開いた状態に保持されとともに、カンガルーポケット式制御部４０を閉じる場合にはカンガルーポケット式制御部４０を上方向に移動させるとガイドピン４８がガイドの窪み４７ａから外れ、カンガルーポケット式制御部を閉じる。【選択図】図４
2010242984.tif 000002
【特許請求の範囲】
【請求項１】
加熱室と、前記加熱室内の被加熱物を加熱する加熱手段と、前記加熱室を開閉するドア  と、前記加熱手段を制御するカンガルーポケット式の制御部と、前記加熱手段の駆動を制御する操作部とを備える加熱装置において、前記カンガルーポケット式制御部が、開閉の為の回転軸と回転軸孔とガイドとガイドピンとを有し、前記ガイドピンが前記ガイドに沿って摺動することによって回転が補助され、前記ガイドに窪みを設け、前記回転軸が下方向に移動出来るように前記回転軸孔を長孔にして、前記ガイドピンが前記ガイドの窪みに嵌まり込み保持されることによって、前記カンガルーポケット式制御部が開いた状態に保持されとともに、カンガルーポケット式制御部を閉じる場合には前記カンガルーポケット式制御部を上方向に移動させると前記ガイドピンが前記ガイドの窪みから外れ、前記カンガルーポケット式制御部を閉じることを特徴とする加熱装置。
【発明の詳細な説明】
【技術分野】
【０００１】
本発明は誘導加熱、ガス、ヒータやマイクロ波等によって被加熱物を加熱する加熱装置において、制御部がカンガルーポケット式制御部を有する加熱装置に関する。
【背景技術】
【０００２】
従来から誘導加熱、ガス、ヒータやマイクロ波等によって被加熱物を加熱する加熱装置において、カンガルーポケット式制御部が用いられている（例えば、特許文献１参照）。
【０００３】
図５は、従来のビルトインタイプの加熱装置の斜視図である。図５に示されるように、ビルトインタイプの加熱装置１０は、カンガルーポケット式制御部（コントロールパネル）４０を備えている。
【０００４】
カンガルーポケット式制御部とは、多面体の１つの面に表示部・操作部を搭載し、それをカバー内に軸中心に回転可能に収納しておき、不使用時には化粧面をカバーから露出させ、使用時には多面体を回転させて表示部・操作部の搭載面を露出させる構成のコントロールパネルのことをいい、操作性が良く、誤接触による誤動作を防止できるという特徴がある。
【先行技術文献】
【特許文献】
【０００５】
【特許文献１】特開２００５−３３１９号公報
【発明の概要】
【発明が解決しようとする課題】
【０００６】
通常カンガルーポケット式制御部では、表示・操作面を露出させ開いた状態では多面体の自重により開いた状態が保持される。従来のカンガルーポケット式制御部においては、操作する為に開いた状態で保持しておかないと、操作途中に意図しないで閉じられ、操作が不安定となる場合や指を挟んでしまう場合がある。このため、カンガルーポケットでの操作中はカンガルーポケット式制御部を閉じないように注意する必要があった。
【０００７】
図６は、従来のカンガルーポケット式制御部の側部断面図で、図６（ａ）〜（ｃ）はそれぞれ、不使用時、回転途中、使用時のカンガルーポケット式制御部を示している。それぞれ回転軸４３を中心に回転するが、使用時でカンガルーポケット式制御部が開いたと状態ではカンガルーポケット式制御部の自重により保持されており特別な保持機構はない。
【０００８】
したがって、開いた状態でカンガルーポケットの表示部・操作面を、例えば水平方向に表示部・操作面を押す方向に力を加えると、カンガルーポケットには閉じようとする力になるので簡単に閉じてしまう。
【０００９】
本発明は機械的に簡単な方法で、カンガルーポケット式制御部を開いた状態に保持する機構に関するもので、これによりカンガルーポケット式制御部が開いた状態で制御部を操作する場合にはカンガルーポケット式制御部は容易に閉じず、意図的にカンガルーポケット式制御部を閉じる場合は簡単に閉じることが可能となり、操作途中に意図しないでカンガルーポケット式制御部が閉じられ、操作が不安定となったり、指を挟んでしまったりすることを防止することを課題とする。
【００１０】
本発明は上記課題を解決するために、カンガルーポケット式制御部が開いた状態から閉
じる方向への戻り防止機構を設けたものである。
【課題を解決するための手段】
【００１１】
上記課題を解決するために、本発明は、加熱室と、前記加熱室内の被加熱物を加熱する加熱手段と、前記加熱室を開閉するドアと、前記加熱手段を制御するカンガルーポケット式の制御部と、前記加熱手段の駆動を制御する操作部とを備える加熱装置において、前記カンガルーポケット式制御部が、開閉の為の回転軸と回転軸孔とガイドとガイドピンとを有し、前記ガイドピンが前記ガイドに沿って摺動することによって回転が補助され、前記ガイドに窪みを設け、前記回転軸が下方向に移動出来るように前記回転軸孔を長孔にして、前記ガイドピンが前記ガイドの窪みに嵌まり込み保持されることによって、前記カンガルーポケット式制御部が開いた状態に保持されとともに、カンガルーポケット式制御部を閉じる場合には前記カンガルーポケット式制御部を上方向に移動させると前記ガイドピンが前記ガイドの窪みから外れ、前記カンガルーポケット式制御部を閉じるものである。
【発明の効果】
【００１２】
本発明によれば、カンガルーポケット式制御部を有する加熱装置において、カンガルーポケット式制御部の表示・操作面が制御操作を行いたい場合には開いた状態を保持して制御操作を行う場合には容易に閉じることがないようにし、閉じたい場合には容易に保持が外れて閉じるようにすることができる。
【図面の簡単な説明】
【００１３】
【図１】本発明の実施の形態にかかる電子レンジの正面図
【図２】本発明の実施の形態にかかる電子レンジの側面図
【図３】カンガルーポケット式制御部の側部断面図
【図４】カンガルーポケット式制御部の側部断面図
【図５】従来の電子レンジの斜視図
【図６】従来のカンガルーポケット式制御部の側部断面図
【発明を実施するための形態】
【００１４】
以下、本発明の実施の形態について、図面を参照しながら説明する。なお、この実施の形態によって本発明が限定されるものではない。
【００１５】
図１〜図４は、本発明の実施の形態を示したもので、図１は本実施の形態にかかる加熱装置の正面図、図２は本実施の形態にかかる加熱装置の側面図である。図１、２に示されるように、本実施の形態にかかる加熱装置には、電子レンジ本体１０前面の扉の上に、カンガルーポケット式の制御部４０が備えられている。
【００１６】
図３はカンガルーポケット式制御部の側部断面図で、図３（ａ）〜図３（ｄ）はそれぞれ、収納時の閉じた状態、回転途中、開き切る直前、使用時の開いた状態を示している。
【００１７】
図４はカンガルーポケット式制御部の側部断面図で、図中にガイド４７を表示したものである。図３と同様に、図４（ａ）〜図４（ｄ）はそれぞれ、不使用時の閉じた状態、回転途中、開き切る直前、使用時の開いた状態を示している。
【００１８】
これまでのカンガルーポケット式制御部と同様に、収納時の閉じた状態から、使用時の開いた状態へは回転軸４３を中心に回転するが、図４（ｃ）に示される開き切る直前においては、４３回転軸が４３ａ  回転軸孔の下方への移動と同時に、ガイド４７ａの窪みにガイドピン４８が嵌まり込み始め、図４（ｄ）に示される使用時の開いた状態では、回転軸４３が回転軸孔４３ａの下方への移動し、ガイドの窪み４７ａにガイドピン４８が嵌まり込んでいる。
【００１９】
図４（ｄ）に示されるように、使用時の開いた状態の回転軸４３が回転軸孔４３ａの下方への移動し、ガイドの窪み４７ａにガイドピン４８が嵌まり込んでいる状態では、カンガルーポケット式制御部には上方向以外の方向の力が加わってもカンガルーポケット式制御部は開いた状態が保持される。
【００２０】
この状態で、逆にカンガルーポケット式制御部に上方向の力が加わると、回転軸４３が回転軸孔４３ａで上方向へ移動しガイドの窪み４７ａからガイドピン４８が外れ、カンガルーポケット式制御部の開いた状態の保持が外れる。開いた状態でのカンガルーポケット式制御部の上方向の力は通常の閉じる方向の力なので、開いた状態からカンガルーポケット式制御部を閉じようとすると、自然に開いた状態の保持が外れる。
【産業上の利用可能性】
【００２１】
以上説明してきたように、本発明はビルトインタイプの加熱装置に適用可能である。
【符号の説明】
【００２２】
１０  電子レンジ本体
２２  制御部収納室
２２ａ  制御部受け突起
２３    加熱室
２８  冷却系統の吐出口
３０  開閉扉
４０  カンガルーポケット式制御部
４２  表示・操作面
４３  回転軸
４３ａ  回転軸孔
４４  化粧面
４６  排気面
４６ａ  排気面開口
４７  ガイド
４７ａ  ガイドの窪み
４８  ガイドピン
２２１  制御部収納室上面
２２２  制御部収納室奥面
２２２ａ  制御部収納室奥面開口
２２３  制御部収納室下面
４２３  操作ボタン
【図２】
2010242984.tif 000003
【図３】
2010242984.tif 000004
【図４】
2010242984.tif 000005
【図６】
2010242984.tif 000006
【図１】
2010242984.tif 000007
【図５】
2010242984.tif 000008